(57)【特許請求の範囲】
【請求項１】
複数の印刷ユニットを垂直方向に配置してなる垂直印刷部を有するタワー型輪転機において、
垂直印刷部の上部に小巻用紙を回転自在に、かつ交換自在に支持する小巻用紙供給装置を設けると共に、垂直印刷部の上部に小巻用紙供給装置からの小巻用紙を垂直印刷部の上端部へ案内するガイドロールを設け、
垂直印刷部の下方に、上記小巻用紙供給装置からガイドロールを介して供給されて垂直印刷部の上側から下方へ走行させた小巻用紙と、印刷ユニットの上流側に設けた用紙繰り出し部より供給される用紙とを接続する下側の紙つなぎ台を設け、
垂直印刷部の上方に、上記小巻用紙供給装置から供給された小巻用紙と、垂直印刷部の下流側に紙通ししてある排紙側の用紙とを接続する上側の紙つなぎ台を設けた
ことを特徴とする簡易紙通し装置。
【発明の詳細な説明】
【０００１】
【発明の属する技術分野】
本発明は、タワー型輪転機の垂直方向に配列した複数の印刷ユニットからなる垂直印刷部の用紙経路内に簡易的に紙通しするための簡易紙通し装置に関するものである。
【０００２】
【従来の技術】
輪転機における紙通し装置は、輪転機のフレームの内側に、用紙経路に沿って案内溝を設け、この案内溝内を走行する用紙保持片に用紙の一端を接着し、用紙保持片の上記案内溝への走行に従って用紙を通すようにしている。
【０００３】
【発明が解決しようとする課題】
上記従来の紙通し装置は案内溝の全長にわたって用紙保持片を駆動するための装置を設けなければならないため、機構が複雑で高価になっていた。このため、紙通し距離が短い輪転機では特別な紙通し装置を設けず、作業者が手作業で紙通しを行うことが多かった。この場合、タワー型の輪転機では、印刷ユニット内を下から上に立ち上げる手作業による紙通しは困難な作業であった。
【０００４】
本発明は上記のことにかんがみなされたもので、タワー型輪転機において、特別の紙通し装置を用いることなく、作業者の手作業にて垂直印刷部の用紙経路内に簡易的に紙通しを行うことができるようにした簡易紙通し方法及びその装置を提供することを特徴とするものである。
【０００５】
【課題を解決するための手段】
上記目的を達成するために、本発明に係る簡易紙通し装置は、複複数の印刷ユニットを垂直方向に配置してなる垂直印刷部を有するタワー型輪転機において、垂直印刷部の上部に小巻用紙を回転自在に、かつ交換自在に支持する小巻用紙供給装置を設けると共に、垂直印刷部の上部に小巻用紙供給装置からの小巻用紙を垂直印刷部の上端部へ案内するガイドロールを設け、垂直印刷部の下方に、上記小巻用紙供給装置からガイドロールを介して供給されて垂直印刷部の上側から下方へ走行させた小巻用紙と、印刷ユニットの上流側に設けた用紙繰り出し部より供給される用紙とを接続する下側の紙つなぎ台を設け、垂直印刷部の上方に、上記小巻用紙供給装置から供給された小巻用紙と、垂直印刷部の下流側に紙通ししてある排紙側の用紙とを接続する上側の紙つなぎ台を設けた構成になっている。
【０００６】
【作用】
垂直印刷部の上部に支持された小巻用紙はガイドロールより垂直印刷部の用紙経路内に重力にて垂れ下がり、これを各印刷ユニットを逆転して下方へ紙通しする。このとき、小巻用紙の先端は、特に案内することなく、各印刷ユニットの印刷ロール間に重力にて繰り込まれて行く。
【０００７】
そして垂直印刷部の下方へ垂れ下がった小巻用紙の下側先端とタワー型輪転機の用紙繰り出し装置からの用紙の先端とを下側の紙つなぎ台にて接続する。
【０００８】
小巻用紙の上側部は上側の紙つなぎ台にて切断して、この端部を、各印刷ユニットの順転により下流側へ紙通しし、あるいは、小巻用紙の上側端部と排出側用紙の端部とを接続する。
【０００９】
【発明の実施の形態】
本発明の実施の形態を図面に基づいて説明する。図中１はタワー型輪転機であり、用紙繰り出し部２の下流側に位置する下側ガイドロール３と、これの直上方に位置する上側ガイドロール４とを通る垂直印刷部５が構成されており、この垂直印刷部５の用紙経路に沿って複数の印刷ユニット６ａ，６ｂ，６ｃ，６ｄが配置され、さらにこれの下流側に乾燥機７が配置されている。そして８は下流側に設けられた加工部である。
【００１０】
このタワー型輪転機１では、用紙９が、このタワー型輪転機１の上流側に位置する用紙繰り出し部２より繰り出されて下側ガイドロール３から上側ガイドロール４に至る用紙経路を通る間に複数の印刷ユニット６ａ〜６ｄにて印刷され、ついで乾燥機７にて乾燥されて加工部８へ排出されるようになっている。
【００１１】
タワー型輪転機１のフレームの上端部に、小巻用紙１０を回転自在に、かつ交換自在に設置可能にした小巻用紙供給装置１１が設けてある。そして上記垂直印刷部５の用紙経路の上端部近傍に、小巻用紙供給装置１１からの小巻用紙１０を垂直印刷部５の上端部へ向けて案内するガイドロール１２が設けてある。
【００１２】
小巻用紙供給装置１１は水平方向に間隔をとって並設した２本の回転自在にした支持ロール１３ａ，１３ｂからなっていて、これの上に小巻用紙１０を載置することにより、この小巻用紙１０がフリー状態で回転自在に支持されるようになっている。
【００１３】
上記垂直印刷部５の用紙経路の下方と上方にはこの用紙経路に対向して紙つなぎ台１４，１４がフレーム側に支持して設けてある。この紙つなぎ台１４，１４には用紙経路を横切る方向にスリット１５が設けてある。
【００１４】
次にこのタワー型輪転機における紙通し作業を説明する。まず小巻用紙供給装置１１にセットとした小巻用紙１０を繰り出してガイドロール１２より垂直印刷部５の用紙経路に沿って下方へ垂らし、各印刷ユニット６ａ〜６ｄをゆっくり逆回転して下方へ走行させる。そしてこれの先端が垂直印刷部５の下方へ出たところで、輪転機の用紙繰り出し部２から繰り出された用紙９の先端部とを重ね合わせ、図２（ａ）に示すように下側の紙つなぎ台１４に沿わせる。ついで、図２（ａ）に示すように、カッタ１６を紙つなぎ台１４のスリット１５を通すことにより両用紙９，１０のそれぞれの先端を切断して揃えた状態で対向させ、この状態で両用紙９，１０を図２（ｂ）に示すように粘着テープ１７にて接続する。
【００１５】
一方、垂直印刷部５の用紙経路の上方では、加工部８から垂直印刷部５の上側まで紙通ししてある排紙側の用紙９′の先端と上記小巻用紙１０とを上側の紙つなぎ台１４にて、上記下側の紙つなぎ台１４の作動と同じ作動により接続する。
【００１６】
上記した作動により用紙繰り出し部２からの用紙９と加工部８側の排紙側の用紙９′とが、垂直印刷部５の上部に位置する小巻用紙１０にて接続されることになり、これによりタワー型輪転機１内での紙通し作業が完了される。
【００１７】
このときの小巻用紙１０は重力で垂直印刷部５内に垂れ下がるので、これの先端は特に案内装置を必要とすることなく、垂直印刷部５の各印刷ユニット６ａ〜６ｄの逆転する各印刷ロール間に繰り込まれる。
【００１８】
なお、上記紙通し作業において、排紙側の用紙９′を用いずに、上側の紙つなぎ台１４にて切断した小巻用紙１０の先端をそのまま下流側へ紙通しして乾燥機７を経て加工部８へ排出するようにしてもよい。
【００１９】
【発明の効果】
本発明によれば、タワー型輪転機の垂直印刷部の用紙経路への紙通しが、重力を利用して、紙通し装置等の特別の装置を用いることなく、作業者の手作業にて簡易的に行うことができる。
【００２０】
そしてこの装置は、小巻用紙供給装置と紙つなぎ装置を設けるだけという簡単な構成にて実施することができる。
【図面の簡単な説明】
【図１】  本発明の実施の形態を示す概略的構成図である。
【図２】  （ａ），（ｂ）は紙つなぎ台での紙つなぎ作業を示す説明図である。
【符号の説明】
１…タワー型輪転機、２…用紙繰り出し部、３，４，１２…ガイドロール、５…垂直印刷部、６ａ，６ｂ，６ｃ，６ｄ…印刷ユニット、７…乾燥機、８…加工部、９…用紙、１０…小巻用紙、１１…小巻用紙供給装置、１３ａ，１３ｂ…支持ロール、１４…紙つなぎ台、１５…スリット、１６…カッタ、１７…粘着テープ。
【図１】
0004292673.tif 000002
【図２】
0004292673.tif 000003